(57)【特許請求の範囲】
【請求項１】
吊り下げられた遮蔽材を開閉操作するためのループ状の操作コードと、
前記遮蔽材を開閉する駆動部に駆動力を伝達可能なループ状の駆動コードと、
前記駆動コードの下端が巻回される上側プーリを有する上側ケースと、
前記操作コードの上端が巻回される下側プーリを有する下側ケースと、
前記上側ケースと前記下側ケースとを係合により連結する係合手段と、
を備え、
前記下側ケースには、前記操作コードと連動して作動する切換部材が設けられ、
前記切換部材は、前記下側プーリからループ状に垂下する前記操作コードの両側いずれにも接触しており、
前記下側ケースからループ状に垂下する前記操作コードのいずれか片側に荷重が掛かったときは、前記下側プーリの回転が前記上側プーリに伝達され、
前記下側ケースからループ状に垂下する前記操作コードの両側に荷重が掛かったときは、前記切換部材は、前記操作コードによる押圧によって、前記係合手段の係合を解除して、前記上側ケースと前記下側ケースとが分離することを特徴とする、開閉体の操作装置。
【請求項２】
前記切換部材は、前記操作コードと前記下側プーリの間に設けられることを特徴とする、請求項１に記載の開閉体の操作装置。
【請求項３】
前記切換部材は、前記操作コードよりも外周側に設けられることを特徴とする、請求項１に記載の開閉体の操作装置。
【請求項４】
吊り下げられた遮蔽材を開閉操作可能なループ状の操作コードと、
前記遮蔽材を開閉する駆動部に駆動力を伝達可能なループ状の駆動コードと、
前記駆動コードの下端が巻回される上側プーリを有する上側ケースと、
前記操作コードの上端が巻回される下側プーリと、
前記下側プーリを移動可能に支持する下側ケースと、
前記上側ケースと前記下側ケースとを係合により連結する係合手段と、
を備え、
前記下側ケースからループ状に垂下する前記操作コードのいずれか片側に荷重が掛かったときは、前記下側プーリの回転が前記上側プーリに伝達され、
前記下側ケースからループ状に垂下する前記操作コードの操作によって、前記下側プーリに下方への荷重がかかると、前記下側プーリが移動して前記係合手段の係合が解除され、前記上側ケースと前記下側ケースとが分離することを特徴とする、開閉体の操作装置。
【請求項５】
前記下側ケースには、前記下側プーリと連動して作動する切換部材が設けられ、
前記切換部材は、前記下側プーリの移動によって押圧されて、前記係合手段の係合を解除することを特徴とする、請求項４に記載の開閉体の操作装置。
【発明の詳細な説明】
【技術分野】
【０００１】
本発明は、居住者の安全を確保することができるブラインドなどの開閉体の操作装置に関する。
【背景技術】
【０００２】
支持部材から吊下げられる遮蔽材を開閉操作するための開閉体の操作装置としては、特開２０１１−２３６５５２号公報（特許文献１）に開示されているものがある。特許文献１に開示される開閉体の操作装置は、ヘッドボックスに回転可能に支持されるプーリからループ状のボールチェーンを垂下し、ボールチェーンの操作に基づいてプーリを回転させて遮蔽材を開閉するようにしたものである。そして、ループ状のボールチェーンはフェイルセーフ機能を備えた連結ボールで連結されている。
【０００３】
フェイルセーフ機能を備えた連結ボールは、ボールの半分の形状の半球部に嵌合部を有する第一の連結部材と、嵌合部が対向するように嵌合可能とした筒状の第二の連結部材とを備え、第二の連結部材の両端に第一の連結部材がそれぞれ嵌合することによって構成される。このように構成されたボールチェーンは、居住者の安全が確保されるようにするために、居住者等が引っ掛かるなど、ある程度の荷重がボールチェーンにかかると、第一の連結部材と第二の連結部材とが外れるように、所定の嵌合力が設定されている。
【先行技術文献】
【特許文献】
【０００４】
【特許文献１】特開２０１１−２３６５５２号公報
【発明の概要】
【発明が解決しようとする課題】
【０００５】
しかしながら、特許文献１に示される開閉体の操作装置では、例えば、製品サイズが大きいブラインドはその分だけ操作荷重がかかるため、急激な操作を行うと非常に大きな引っ張り力がボールチェーンにかかる。このように、通常の操作においても非常に大きな引っ張り力がボールチェーンにかかると、第一の連結部材と第二の連結部材が不用意に外れてしまうという問題があった。
【０００６】
そこで本発明は、このような問題に鑑みてなされたもので、その目的とするところは、開閉体の製品サイズによらず居住者の安全性を確保することができる開閉体の操作装置を提供することにある。
【課題を解決するための手段】
【０００７】
上記課題を解決するために、本発明の第１の観点によれば、吊り下げられた遮蔽材を開閉操作するためのループ状の操作コードと、前記遮蔽材を開閉する駆動部に駆動力を伝達可能なループ状の駆動コードと、前記駆動コードの下端が巻回される上側プーリを有する上側ケースと、前記操作コードの上端が巻回される下側プーリを有する下側ケースと、前記上側ケースと前記下側ケースとを係合により連結する係合手段と、を備え、前記下側ケースからループ状に垂下する前記操作コードのいずれか片側に荷重が掛かったときは、前記下側プーリの回転が前記上側プーリに伝達され、前記下側ケースからループ状に垂下する前記操作コードの両側に荷重が掛かったときは、前記係合手段の係合が解除されて、前記上側ケースと前記下側ケースとが分離することを特徴とする、開閉体の操作装置が提供される。
【０００８】
かかる構成によれば、通常の操作においては、操作コードには下側ケースからループ状に垂下するいずれか片側にしか荷重がかからないため、大きな引っ張り力をかけても係合手段による係合は維持される。一方、居住者が操作コードに引っ掛かった場合などのように、下側ケースからループ状に垂下する操作コードの両側に荷重がかかった場合には、係合手段による係合が解除される。このように、通常操作では係合が維持され、非常時には係合が解除されるようにしたため、従来のようにフェイルセーフ機能における連結部材の嵌合力を、製品サイズに応じて厳密に設定する必要がなくなる。このため、製品サイズによらず安全性を確保できる。
【０００９】
本発明には様々な応用が可能である、例えば、前記下側ケースには、前記操作コードと連動して作動する切換部材が設けられ、前記切換部材は、前記下側プーリからループ状に垂下する前記操作コードの両側いずれにも接触しており、前記切換部材は、前記操作コードによる押圧によって、前記係合手段の係合を解除するようにしてもよい。
【００１０】
これにより、切換部材は操作コードによる押圧によって係合手段の係合を解除できるが、通常操作時は下側ケースからループ状に垂下する操作コードのいずれか片側からの押圧しか作用しないため、通常操作において過剰な操作荷重をかけても係合を維持できる。一方、下側ケースからループ状に垂下する操作コードの両側に荷重がかかると切換部材に両側からの押圧が作用するため、係合手段による係合が確実に解除される。
【００１１】
また、前記切換部材は、前記操作コードと前記下側プーリの間に設けられるようにしてもよい。これにより、切換部材は操作コードによって下側プーリに接近する方向に押圧された場合に係合手段の係合を解除することができる。
【００１２】
さらに、前記切換部材は、前記操作コードよりも外周側に設けられるようにしてもよい。これにより、切換部材は操作コードによって下側プーリから遠ざかる方向に押圧された場合に係合手段の係合を解除することができる。
【００１３】
また、本発明の第２の観点によれば、吊り下げられた遮蔽材を開閉操作可能なループ状の操作コードと、前記遮蔽材を開閉する駆動部に駆動力を伝達可能なループ状の駆動コードと、前記駆動コードの下端が巻回される上側プーリを有する上側ケースと、前記操作コードの上端が巻回される下側プーリと、前記下側プーリを移動可能に支持する下側ケースと、前記上側ケースと前記下側ケースとを係合により連結する係合手段と、を備え、前記下側ケースからループ状に垂下する前記操作コードのいずれか片側に荷重が掛かったときは、前記下側プーリの回転が前記上側プーリに伝達され、前記下側ケースからループ状に垂下する前記操作コードの操作によって、前記下側プーリに下方への荷重がかかると、前記下側プーリが移動して前記係合手段の係合が解除され、前記上側ケースと前記下側ケースとが分離することを特徴とする、開閉体の操作装置が提供される。
【００１４】
かかる構成によれば、通常の操作においては、下側プーリには回転方向の力のみ作用するため、大きな引っ張り力をかけても係合手段による係合は維持される。しかし、居住者が操作コードに引っ掛かる等、下側ケースからループ状に垂下する操作コードの両側に荷重が掛かった場合など、下側プーリに下方へ荷重がかかると、下側プーリが移動して、係合手段による係合が解除される。このように、通常操作では係合が維持され、非常時には係合が解除されるようにしたため、従来のようにフェイルセーフ機能における連結部材の嵌合力を、製品サイズに応じて厳密に設定する必要がなくなる。このため、製品サイズによらず安全性を確保できる。
【００１５】
本発明において、前記下側ケースには、前記下側プーリと連動して作動する切換部材が設けられ、前記切換部材は、前記下側プーリに接触しており、前記切換部材は、前記下側プーリの移動によって押圧されて、前記係合手段の係合を解除するようにしてもよい。
【００１６】
これにより、切換部材はプーリによる押圧によって係合手段の係合を解除できる。しかし、通常操作時は、下側ケースからループ状に垂下する操作コードのいずれか片側にしか荷重が掛からないため、プーリは移動しない。このため、通常操作において過剰な操作荷重をかけても係合手段の係合を維持できる。一方、下側ケースからループ状に垂下する操作コードの両側に荷重が掛かると、プーリが移動して切換部材を押圧するため、係合手段による係合が確実に解除される。
【発明の効果】
【００１７】
本発明によれば、開閉体の製品サイズによらず居住者の安全性を確保することができる。なお、本発明のその他の効果は、本明細書及び図面の全体から明らかにされる。
【図面の簡単な説明】
【００１８】
【図１】第１の実施形態に係る開閉体の操作装置を実施した開閉体の斜視図である。
【図２】第１の実施形態の開閉体の操作装置を示す図であり、（ａ）は正面から見た断面図であり、（ｂ）は側面から見た断面図である。
【図３】（ａ）は上側ケースに下側ケースが係合している状態を示す正面図であり、（ｂ）は、上側ケースから下側ケースが分離した状態を示す正面図である。
【図４】下側ケースからループ状に垂下する操作コードへの荷重の掛かり方に対応するブラインドの操作装置の状態を示す正面から見た断面図であり、  （ａ）は、操作コードの一方側に荷重が掛かったときの状態を示し、  （ｂ）は、操作コードの他方側に荷重が掛かったときの状態を示す。
【図５】操作コードを操作して遮蔽材を上昇させている状態を示す開閉体の斜視図である。
【図６】下側ケースからループ状に垂下する操作コードへの荷重の掛かり方に対応する開閉体の操作装置の状態を示す正面から見た断面図であり、  （ａ）は、操作コードの両方に荷重が掛かり、係合手段の係合が解除されたときの状態を示し  （ｂ）は、上側ケースから下側ケースが分離した状態を示す。
【図７】上側ケースと下側ケースが分離した状態を示す開閉体の斜視図である。
【図８】第２の実施形態の開閉体の操作装置を示す図であり、（ａ）は正面から見た断面図であり、（ｂ）は側面から見た断面図である。
【図９】下側ケースからループ状に垂下する操作コードへの荷重の掛かり方に対応するブラインドの操作装置の状態を示す正面から見た断面図であり、  （ａ）は、操作コードの一方側に荷重が掛かったときの状態を示し、  （ｂ）は、操作コードの他方側に荷重が掛かったときの状態を示す。
【図１０】下側ケースからループ状に垂下する操作コードへの荷重の掛かり方に対応する開閉体の操作装置の状態を示す正面から見た断面図であり、  （ａ）は、操作コードの両方に荷重が掛かり、係合手段の係合が解除されたときの状態を示し、  （ｂ）は、上側ケースから下側ケースが分離した状態を示す。
【図１１】第３の実施形態の開閉体の操作装置を示す図であり、（ａ）は正面から見た断面図であり、（ｂ）は側面から見た断面図である。
【図１２】下側ケースからループ状に垂下する操作コードの両側に荷重が掛かったときのブラインドの操作装置のプーリが移動する前の状態を示し、（ａ）は正面から見た断面図であり、（ｂ）は正面図である。
【図１３】下側ケースからループ状に垂下する操作コードの両側に荷重が掛かったときのブラインドの操作装置のプーリの移動により係合手段の係合が解除されたときの状態を示し、（ａ）は正面から見た断面図であり、（ｂ）は正面図である。
【図１４】下側ケースからループ状に垂下する操作コードの両側に荷重が掛かったときのブラインドの操作装置の上側ケースから下側ケースが分離したときの状態を示し、（ａ）は正面から見た断面図であり、（ｂ）は正面図である。
【発明を実施するための形態】
【００１９】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２０】
（第１の実施形態）
本発明の第１の実施形態について説明する。本実施形態に係る開閉体の操作装置１００（以下、単に操作装置という。）は、吊下げられたスクリーンの開閉を操作するためのものである。まず、本実施形態に係る操作装置１００を実施した開閉体であるブラインド１０の全体構成について説明する。なお、ブラインド１０の一例としてロールクリーンを例に挙げて説明する。
【００２１】
図１は、ブラインド１０の全体構成を示す斜視図である。ブラインド１０は、図１に示したように、図示していない窓枠等に固定されるフレーム２０と、フレーム２０に両端が回転可能に支持される巻取パイプ３０と、巻取パイプ３０に上端が連結され、巻取パイプ３０の回転方向によって、巻取パイプ３０に巻き取られたり、巻き解かれたりするスクリーン４０と、フレーム２０と巻取パイプ３０の一方の端部との間に設けられ巻取パイプ３０を回転駆動する駆動部５０と、駆動部５０を操作する操作装置１００と、を備えて構成される。
【００２２】
以上、本実施形態に係る操作装置１００を実施したブラインド１０の全体構成について説明した。以下では、本実施形態に特徴的な構成要素である操作装置１００について説明する。
【００２３】
（操作装置１００）
まず、本実施形態の操作装置１００の全体の構成について、図１を参照しながら説明する。操作装置１００は、スクリーン４０を開閉操作可能なループ状の操作コード１１０と、駆動部５０に駆動力を伝達するループ状の駆動コード１２０と、駆動コード１２０の下端が巻回される後述する上側プーリ１４１を有する上側ケース１４０と、操作コード１１０の上端が巻回される後述する下側プーリ１５１を有する下側ケース１５０と、上側ケース１４０に下側ケース１５０を係合する係合手段１６０とを主に備える。そして、下側ケース１５０からループ状に垂下する操作コード１１０のいずれか一方側が操作されてコードの片側に荷重が掛かったときは、下側プーリ１５１の回転が上側プーリ１４１に伝達され、下側ケース１５０からループ状に垂下する操作コード１１０の両側に荷重が掛かったときは、係合手段１６０の係合が解除されて、上側ケース１４０と下側ケース１５０とが分離するように構成される。
【００２４】
以下では、操作装置１００の各構成について、図２を参照しながら説明する。
【００２５】
（操作コード１１０）
操作コード１１０は、スクリーン４０を開閉操作するものであり、ループ状のボールチェーンによって構成されている。操作コード１１０の上端は、上側プーリ１４１に巻回され、操作コード１１０の下端は下側プーリ１５０からループ状に垂下する。
【００２６】
（駆動コード１２０）
駆動コード１２０は、駆動部５０に駆動力を伝達するものであり、ループ状のボールチェーンによって構成されている。駆動コード１２０の上端は、駆動部５０に巻回されており、下端は上側プーリ１４１に巻回されている。これにより、上側プーリ１４１の回転が駆動コード１２０を介して駆動部５０に伝達される。
【００２７】
（上側ケース１４０）
上側ケース１４０は、駆動コード１２０の下端が巻回される上側プーリ１４１を有し、正面視において上部の両端が傾斜した六角形の薄い箱型の形状をしている。上側ケース１４０の底部１４２の中央部と上部の両傾斜部には、底部開口部１４３と上部開口部１４４が形成されている。底部開口部１４３からは上側ケース１４０内に係合手段１６０が挿入され、上側ケース１４０内に挿入された係合手段１６０は底部１４２に係合する。これにより、上側ケース１４０に下側ケース１５０が係合する。また、上部開口部１４４には、ループ状の駆動コード１２０の両側がそれぞれ挿通する。
【００２８】
上側ケース１４０の底部の両側端部には、上側ケース１４０と下側ケース１５０が連結されたときに、下側ケース１５０内に挿入されて下側ケース１５０の内壁に当接する突起１４５が設けられている。突起１４５は下側ケース１５０の両側の内壁に当接するため、係合手段１６０の一方だけが外れた場合に、下側ケース１５０が上側ケース１４０に対して傾くことを防止する。このため、係合手段１６０の一方だけが外れた場合に、下側ケース１５０が上側ケース１４０に対して傾くことがないため、上側ケース１４０と下側ケース１５０とが分離しない。よって、上側ケース１４０と下側ケース１５０の不用意な係合の解除が防止される。
【００２９】
上側ケース１４０内には、上側プーリ１４１が配設されており、上側プーリ１４１を回転自在に支持する回転支持軸１４６が上側ケース１４０の前後方向に延びて上側ケース１４０に支持される。上側プーリ１４１の背面には上側ギア１４７が設けられる。
【００３０】
（下側ケース１５０）
下側ケース１５０は、正面視において底部の両端が傾斜した六角形の薄い箱型の形状であり、上部全面と底部の傾斜部には、上部開口部１５２と底部開口部１５３が形成されている。上部開口部１５２から係合手段１６０と後述する中間ギア１５６が突出する。また、上側ケース１４０と下側ケース１５０が連結されたときに、上部開口部１５２から前述の突起１４５が下側ケース１５０内に挿入される。底部開口部１５３には、ループ状の駆動コード１２０の両側がそれぞれ挿通する。
【００３１】
下側ケース１５０内には、下側プーリ１５１が配設されており、下側プーリ１５１を回転自在に支持する回転支持軸１５４が下側ケース１５０の前後方向に延びて下側ケース１５０に支持される。下側プーリ１５１の背面には下側ギア１５５が設けられる。また、下側ケース１５０内の上部付近には、中間ギア１５６が配設されており、中間ギア１５６を回転自在に支持する回転支持軸１５７が下側ケース１５０の前後方向に延びて下側ケース１５０に支持される。中間ギア１５６は、下側ギア１５５と常時かみ合っており、上側ケース１４０と下側ケース１５０が連結されたときには上側ギア１４７ともかみ合う。これにより、下側プーリ１５１の回転が上側プーリ１４１に伝達される。
【００３２】
（係合手段１６０）
係合手段１６０は、図２に示したように、上側ケース１４０の底部開口部１４３を挟んだ両側の底部１４２にそれぞれ係合するように左右２か所に設けられており、それぞれの係合手段１６０−１、１６０−２（係合手段１６０−１、１６０−２を総称するときは係合手段１６０という）は略Ｌ字状（又は略逆Ｌ字状）の形状をしている。係合手段１６０は操作コード１１０と連動して作動する切換部材１６１の先端に形成されている。
【００３３】
切換部材１６１は、回転支持軸１５４を挟んで下側プーリ１５１の前後面を左右方向から包囲するように配置される左右対称の部材である。左右の切換部材１６１−１、１６１−２（切換部材１６１−１、１６１−２を総称するときは切換部材１６１という）は、バネ１６２−１、１６２−２（バネ１６２−１、１６２−２を総称するときはバネ１６２という）によって回転支持軸１５４にそれぞれ連結されている。
【００３４】
バネ１６２は、係合手段１６０が上側ケース１４０の底部１４２に係合するように切換部材１６１を常時付勢している。切換部材１６１は、回転軸支持軸１５４よりも下方に配置される部分の側部に側壁１６１ａが設けられており、側壁１６１ａが下側プーリ１５１の側部を包囲して、操作コード１１０と下側プーリ１５１の間に配置されている。また、切換部材１６１の回転支持軸１５４よりも上方の部分は側部が開放されており、下側プーリ１５１に巻回された操作コード１１０は、切換部材１６１の開放された部分より切換部材１６１の外周側に垂下する。
【００３５】
これにより、切換部材１６１の側壁１６１ａは、下側プーリ１５１からループ状に垂下する操作コード１１０の両側いずれにも接触するようになっている。切換部材１６１は、操作コード１１０を操作したり、操作コード１１０に居住者が引っ掛かったりなどして、操作コード１１０に荷重が掛かると操作コード１１０に押圧される。これにより、切換部材１６１は、バネ１６２の弾性力に抗して下側プーリ１５１に接近する方向に移動し、係合手段１６０の係合を解除する。
【００３６】
以上のように構成される上側ケース１４０、下側ケース１５０、係合手段１６０は、図３（ａ）に示したように、上側ケース１４０と下側ケース１５０が連結されているときには、係合手段１６０が上側ケース１４０に係合するとともに、下側プーリ１５１の回転を中間ギア１５６を介して上側プーリ１４１に伝達する駆動ケース１７０を構成する。一方、駆動ケース１７０が分離したときには、図３（ｂ）に示したように、係合手段１６０と上側ケース１４０の係合が解除されるとともに、中間ギア１５６と上側ギア１４７が分離する。
【００３７】
以上、本実施形態の操作装置１００の構成について説明した。次に、本実施形態の操作装置１００の作用について、図４〜図７を参照しつつ説明する。
【００３８】
まず、通常のスクリーン４０の開閉操作から説明する。なお、以下の説明において、一例として、スクリーン４０を開く場合に操作コード１１０の一方側を操作し、閉じる場合に操作コード１１０の他方側を操作することとして説明する。ただし、この逆でもよいことは言うまでもない。
【００３９】
スクリーン４０を開く場合、図４（ａ）に示したように、下側ケース１５０からループ状に垂下する操作コード１１０の一方側（図中左側）を図中矢印ａで示すように引き下げる。これにより、操作コード１１０の片側に荷重が掛かるため、操作コード１１０の一方側が下側プーリ１５１に接近する方向に移動する。このため、一方の切換部材１６１−１が操作コード１１０に押圧されて、図中矢印ｂで示すように、バネ１６２−１の弾性力に抗して下側プーリ１５１に接近していく。これによって、一方の係合手段１６０−１の係合が解除される。
【００４０】
しかし、他方の係合手段１６０−２が係合しているため、上側ケース１４０と下側ケース１５０は分離しない。これにより、上側ギア１４７、中間ギア１５６及び下側ギア１５５は連結された状態を維持するので、操作コード１１０の操作による下側プーリ１５１の回転が、図中矢印ｃで示すように上側プーリ１４１に伝達されて、駆動コード１２０が図中矢印ｄで示すように、操作コード１１０の操作方向と同方向に移動する。よって、図５に示したように、駆動部５０が駆動して巻取パイプ３０が回転し、スクリーン４０が巻取パイプ３０に巻き取られる。これにより、図中矢印ｅで示したように、スクリーン４０が上昇して、開かれる。
【００４１】
次に、スクリーン４０を閉じる場合、図４（ｂ）に示したように、下側ケース１５０からループ状に垂下する操作コード１１０の他方側（図中右側）を図中矢印ｆで示したように引き下げる。これにより、操作コード１１０の片側に荷重が掛かるため、操作コード１１０の他方側が下側プーリ１５１に接近する方向に移動する。このため、他方の切換部材１６１−２が操作コード１１０に押圧されて、図中矢印ｇで示したように、バネ１６２−２の弾性力に抗して下側プーリ１５１に接近していく。これによって、他方の係合手段１６０−２の係合が解除される。
【００４２】
しかし、一方の係合手段１６０−１が係合しているため、上側ケース１４０と下側ケース１５０は分離しない。これにより、上側ギア１４７、中間ギア１５６及び下側ギア１５５は連結された状態を維持するので、操作コード１１０の操作による下側プーリ１５１の回転が、図中矢印ｈで示したように上側プーリ１４１に伝達されて、駆動コード１２０が図中矢印ｊで示したように、操作コード１１０と同方向に移動する。よって、駆動部５０が駆動して巻取パイプ３０が回転し、スクリーン４０が巻取パイプ３０から巻き解かれる。これにより、スクリーン４０が下降して、閉じられる。
【００４３】
このように、ブラインド１０の通常の操作時には、下側ケース１５０からループ状に垂下する操作コード１１０のどちらか片側にしか荷重が掛からないため、上側ケース１４０と下側ケース１５０が分離しない。このため、製品サイズが大きく、操作荷重が重いブラインド１０でも不用意に上側ケース１４０と下側ケース１５０が分離することがない。よって、製品サイズにかかわらず、スクリーン４０の開閉操作を行うことができる。
【００４４】
次に、居住者が操作コード１１０に引っ掛かった場合の非常時の操作装置１００の作用について説明する。以下の説明において、一例として、居住者が操作コード１１０に引っ掛かった場合を想定して説明するが、下側ケース１５０からループ状に垂下する操作コード１１０の両側に荷重が掛かる場合であれば、物が引っ掛かったりした場合などでもよい。
【００４５】
居住者が操作コード１１０に引っ掛かると、図６（ａ）に示したように、図中矢印ｋで示したように、下側ケース１５０からループ状に垂下する操作コード１１０の両側に荷重が掛かる。このため、操作コード１１０の両側が下側プーリ１５１に接近する方向に移動する。よって、両方の切換部材１６１−１、１６１−２が操作コード１１０に押圧されて、図中矢印ｍで示したように、バネ１６２−１、１６２−２の弾性力に抗して下側プーリ１５１に接近する。
【００４６】
これにより、両方の係合手段１６０−１、１６０−２の係合が解除される。よって、図６（ｂ）に示したように、下側ケース１５０が操作コード１１０に引っ張られて上側ケース１４０から分離する。このように、居住者が操作コード１１０に引っ掛かった場合には、図７に示したように、上側ケース１４０と下側ケース１５０が分離するため、居住者がけがをしたり、ブラインド１０が破損したりするなどの事故を防止することができる。
【００４７】
（第１の実施形態の効果）
以上説明したように、本実施形態によれば、通常の操作においては、操作コード１１０には下側ケース１５０からループ状に垂下するいずれか片側にしか荷重がかからないため、大きな引っ張り力をかけても係合手段１６０による係合は維持される。一方、居住者が操作コード１１０に引っ掛かった場合などのように、下側ケース１５０からループ状に垂下する操作コード１１０の両側に荷重がかかった場合には、係合手段１６０による係合が解除される。このように、通常操作では係合が維持され、非常時には係合が解除されるため、従来のようにフェイルセーフ機能における連結部材の嵌合力を、製品サイズに応じて厳密に設定する必要がなくなる。よって、製品サイズによらず安全性を確保できる。
【００４８】
なお、本実施形態の操作装置１００では、一例として、中間ギア１５６を介して上側ギア１４７と下側ギア１５５を連結したが、これに限定されるものではなく、中間ギア１５６を設けないで、上側ギア１４７と下側ギア１５５を直接連結するようにしてもよい。これにより、操作コード１１０の操作方向と駆動コード１２０の移動方向は互いに逆方向になるが、部品点数が削減されて構造が簡単になるため、製造コストを抑えることができる。
【００４９】
（第２の実施形態）
次に、第２の実施形態に係るブラインドの操作装置２００の構成について、図８を参照しながら説明する。図８は、本実施形態に係るブラインドの操作装置を示す図であり、（ａ）は正面から見た断面図であり、（ｂ）は側面から見た断面図である。なお、本実施形態では、上記第１の実施形態と異なる点を中心に説明する。実質的に同一の機能構成を有する構成要素については、同一の符号を付することにより重複説明を省略する。
【００５０】
本実施形態の操作装置２００は、図８に示したように、係合手段２６０の構成は、第１の実施形態の対応する構成と同じであるが、切換部材２６１の構成を第１の実施形態から変更したものである。また、本実施形態では、一例として操作装置２００に中間ギアを設けず、上側ギア２４７と下側ギア２５５を直接連結するものとする。
【００５１】
本実施形態の操作装置２００の切換部材２６１−１、２６１−２（切換部材２６１−１、２６１−２を総称するときは切換部材２６１という）は、図８に示したように、下側プーリ２５１の外周形状に沿った円弧状の板状の部材であり、操作コード２１０よりも外周側に設けられる。これにより、操作コード２１０は、荷重が掛かっていないときには、下側プーリ２５１から垂れ下がる部分が切換部材２６１の形状に沿って円弧形状を描き、切換部材２６１の下端から垂下する。
【００５２】
切換部材２６１−１、２６１−２の下部はこれらと対面する下側ケース２５０の側部内面と、バネ２６２−１、２６２−２によって連結されている。バネ２６２−１、２６２−２は、切換部材２６１−１、２６１−２の下部を下側プーリ２５１に接近する方向に常時付勢している。これにより、切換部材２６１の先端に設けられている係合手段２６０が上側ケース２４０に係合するようになっている。
【００５３】
切換部材２６１は、操作コード２１０のいずれか片側を操作したり、操作コード２１０に居住者が引っ掛かったりなどして、操作コード２１０の片側あるいは両側に荷重が掛かると操作コード２１０に押圧されて、切換部材２６１の下端がバネ２６２の弾性力に抗して下側プーリ２５１から遠ざかる方向に移動する。これにより、係合手段２６０が上側ケース２４０の中央方向に移動して、係合手段２６０の係合が解除される。
【００５４】
以上、本実施形態の操作装置２００の構成について説明した。次に、本実施形態の操作装置２００の作用について、図９及び図１０を参照しながら説明する。
【００５５】
まず、通常のスクリーン４０の開閉操作から説明する。なお、以下の説明において、一例として、スクリーン４０を開く場合に操作コード２１０の一方側を操作し、閉じる場合に操作コード２１０の他方側を操作することとして説明する。ただし、第１の実施形態と同様に、この逆でもよいことは言うまでもない。
【００５６】
スクリーン４０を開く場合、図９（ａ）に示したように、下側ケース２５０からループ状に垂下する操作コード２１０の一方側（図中左側）を図中矢印ｎで示すように引き下げる。これにより、操作コード２１０の片側に荷重が掛かるため、操作コード２１０が下側プーリ１５１から遠ざかる方向に移動する。このため、一方の切換部材２６１−１が操作コード２１０に押圧されて、バネ２６２−１の弾性力に抗して下側プーリ２５１から遠ざかっていく。
【００５７】
これによって、図中矢印ｐで示したように、一方の係合手段２６０−１の係合が解除される。一方の係合手段２６０−１の係合が解除されても、他方の係合手段２６０−２が係合しているため、上側ケース２４０と下側ケース２５０は分離しない。これにより、上側ギア１４７と下側ギア１５５はかみ合った状態を維持するので、第１の実施形態と同様に、操作コード２１０の操作が巻取パイプ３０に伝達される。よって、スクリーン４０が巻取パイプ３０に巻き取られて、スクリーン４０が上昇し、開かれる。
【００５８】
次に、スクリーン４０を閉じる場合、図９（ｂ）に示したように、下側ケース１５０からループ状に垂下する操作コード２１０の他方側（図中右側）を図中矢印ｑで示したように引き下げる。これにより、操作コード２１０の片側に荷重が掛かるため、操作コード２１０が下側プーリ２５１から遠ざかる方向に移動する。このため、他方の切換部材２６１−２が操作コード２１０に押圧されて、バネ２６２−１の弾性力に抗して下側プーリ２５１から遠ざかっていく。
【００５９】
これによって、図中矢印ｒで示したように、他方の係合手段２６０−２の係合が解除される。他方の係合手段２６０−２の係合が解除されても、一方の係合手段２６０−１が係合しているため、上側ケース２４０と下側ケース２５０は分離しない。これにより、上側ギア１４７と下側ギア１５５は連結された状態を維持するので、第１の実施形態と同様に、操作コード２１０の操作が巻取パイプ３０に伝達される。よって、スクリーン４０が巻取パイプ３０から巻き解かれて、スクリーン４０が下降し、閉じられる。
【００６０】
このように、本実施形態においても、通常の操作時には、下側ケース２５０からループ状に垂下する操作コード２１０のどちらか片側にしか荷重が掛からないため、上側ケース２４０と下側ケース２５０は分離しない。このため、製品サイズが大きく、操作荷重が重いブラインドでも不用意に上側ケース２４０と下側ケース２５０が分離することがない。以上説明したように、本実施形態の操作装置２００では、製品サイズにかかわらず、スクリーン４０の開閉操作を行うことができる。
【００６１】
次に、居住者が操作コード２１０に引っ掛かった場合の非常時の操作装置２００の作用について説明する。以下の説明において、一例として、居住者が操作コード２１０に引っ掛かった場合を想定して説明するが、下側ケース２５０からループ状に垂下する操作コード２１０の両側に荷重が掛かる場合であれば、例えば、物が引っ掛かったりした場合などでもよい。
【００６２】
居住者が操作コード２１０に引っ掛かると、図１０（ａ）に示したように、図中矢印ｓで示したように、下側ケース２５０からループ状に垂下する操作コード２１０の両側に荷重が掛かる。このため、操作コード２１０の両側が下側プーリ２５１から遠ざかる方向に移動する。よって、両方の切換部材２６１−１、２６１−２が操作コード２１０に押圧されて、下側プーリ１５１から遠ざかる。
【００６３】
これにより、図中矢印ｔで示したように、両方の係合手段２６０−１、２６０−２の係合が解除される。よって、図１０（ｂ）に示したように、下側ケース２５０が操作コード２１０に引っ張られて上側ケース２４０から分離する。このように、居住者が操作コード２１０に引っ掛かった場合には、上側ケース２４０と下側ケース２５０が分離するため、居住者がけがをしたり、ブラインド１０が破損したりするなどの事故を防止することができる。
【００６４】
（第２の実施形態の効果）
以上説明したように、本実施形態によれば、第１の実施形態と同様に、通常操作では係合手段２６０の係合が維持され、非常時には係合が解除されるため、従来のようにフェイルセーフ機能における連結部材の嵌合力を、製品サイズに応じて厳密に設定する必要がなくなる。よって、製品サイズによらず安全性を確保できる。
【００６５】
また、本実施形態によれば、中間ギアを介さず上側ギア２４７と下側ギア２５５を直接かみ合わせるようにしたことにより、部品点数が削減されて構造が簡単になる。これにより、操作装置２００の製造コストを抑えることができる。ただし、本発明はこれに限定されず、第１の実施形態と同様に、中間ギアを介して上側ギア２４７と下側ギア２５５を連結するようにしてもよい。中間ギアを介して上側ギア２４７と下側ギア２５５を連結することにより、操作コード２１０の操作方向と駆動コード２２０の移動方向とを同方向にすることができる。
【００６６】
（第３の実施形態）
次に、第３の実施形態に係るブラインドの操作装置３００の構成について、図１１を参照しながら説明する。図１１は、本実施形態に係るブラインドの操作装置３００を示す図であり、（ａ）は正面から見た断面図であり、（ｂ）は側面から見た断面図である。なお、本実施形態では、上記第１の実施形態と異なる点を中心に説明する。実質的に同一の機能構成を有する構成要素については、同一の符号を付することにより重複説明を省略する。
【００６７】
本実施形態の操作装置３００は、図１１に示したように、係合手段３６０の構成は、第１の実施形態の対応する構成と同じであるが、切換部材３６１の構成を第１の実施形態から変更したものである。また、本実施形態では、第２の実施形態と同様に、一例として操作装置３００に中間ギアを設けず、上側ギア３４７と下側ギア３５５を直接連結したが、これに限定されず、第１の実施形態と同様に、中間ギアを介して上側ギア３４７と下側ギア３５５を連結するようにしてもよい。このように、中間ギアを介して上側ギア３４７と下側ギア３５５を連結することにより、操作コード３１０の操作方向と駆動コード３２０の移動方向とを同方向にすることができる。
【００６８】
本実施形態の操作装置３００の下側ケース３５０の前後面には、上端から下方に向かって回転支持軸３５４を通過して形成される長尺状の切欠き３５８が設けられている。切欠き３５８は、回転支持軸３５４の径寸法とほぼ同じ幅寸法を有しているが、長さ方向の一部において、幅寸法が狭くなった幅狭部３５８ａが形成されている。幅狭部３５８ａは回転支持軸３５４を支持しており、回転支持軸３５４が幅狭部３５８ａに支持された状態で、下側ギア３５５と上側ギア３４７がかみ合うようになっている。
【００６９】
幅狭部３５８ａの外周は曲面であり、回転支持軸３５４に所定以上の力が掛かると、回転支持軸３５４が幅狭部３５８ａを乗り越えて、切欠き部３５８の先端部３５８ｂまで移動できるようになっている。回転支持軸３５４が幅狭部３５８ａを乗り越える所定以上の力の大きさとは、下側ケース３５０からループ状に垂下する操作コード３１０の両側に荷重が掛かったときに、下側プーリ３５１に掛かる力である。下側ギア３５５は、回転支持軸３５４が幅狭部３５８ａに支持されているときは、上側ギア３４７とかみ合った状態が維持されるが、回転支持軸３５４が幅狭部３５８ａを通過し、切欠き部３５８の先端まで移動すると、かみ合いが解除される。
【００７０】
切換部材３６１−１、３６１−２（切換部材３６１−１、３６１−２を総称するときは切換部材３６１という）は、図１１に示したように、下側ギア３５５の外周形状に沿った円弧状の板状の部材であり、下側ギア３５５の左右の外周に接触して設けられる。切換部材３６１−１、３６１−２の上部はこれらと対面する下側ケース３５０の側部内面と、バネ３６２−１、３６２−２によって連結されている。バネ３６２−１、３６２−２（バネ３６２−１、３６２−２を総称するときはバネ３６２という）は、切換部材３６１−１、３６１−２の上部を下側ケース３５０の側部に接近させる方向（切換部材３６１−１、３６１−２の上部が互いに離間する方向）に常時付勢している。これにより、切換部材３６１の先端に設けられている係合手段３６０−１、３６０−２（係合手段３６０−１、３６０−２を総称するときは係合手段３６０という）が上側ケース３４０に係合するようになっている。
【００７１】
切換部材３６１は、回転支持軸３５４が幅狭部３５８ａを乗り越えて切欠き部３５８の下方に移動し、下側ギア３５５が下方に移動することによって、係合手段３６０を解除する。すなわち、下側ギア３５５が下方に移動することにより、下側ギア３５５によって切換部材３６１の下部が押圧される。これにより、切換部材３６１の下部が下側ケース３５０の側部に接近する方向に広がり、切換部材３６１の上部がバネ３６２の弾性力に抗して互いに接近する。よって、係合手段３６０の係合が解除される。
【００７２】
以上、本実施形態の操作装置３００の構成について説明した。次に、本実施形態の操作装置３００の作用について、図１２〜図１４を参照しながら説明する。本実施形態の操作装置３００は、第１の実施形態及び第２の実施形態とは異なり、操作コード３１０に掛かる荷重によって切換部材３６１が作動する構成ではなく、通常のスクリーン４０の開閉操作は、一般的なブラインドのスクリーンの開閉操作と同様である。よって、スクリーン４０の開閉操作については説明を省略する。
【００７３】
以下では、居住者が操作コード３１０に引っ掛かった場合の非常時の操作装置３００の作用について説明する。以下の説明において、一例として、居住者が操作コード３１０に引っ掛かった場合を想定して説明するが、下側ケース３５０からループ状に垂下する操作コード３１０の両側に荷重が掛かる場合であれば、例えば、物が引っ掛かったりした場合などでもよい。
【００７４】
居住者が操作コード３１０に引っ掛かると、図１２（ａ）、（ｂ）に示したように、図中矢印ｕで示したように、下側ケース３５０からループ状に垂下する操作コード３１０の両側に荷重が掛かる。このため、操作コード３１０から下側プーリ３５１に引き下げる力が加わり、図１３（ａ）、（ｂ）に示したように、回転支持軸３５４が幅狭部３５８ａを乗り越えて切欠き部３５８の先端部３５８ｂまで移動する。よって、下側ギア３５５が下方に移動するため、下側ギア３５５によって切換部材３６１の下部が押圧されて、切換部材３６１の下部が下側ケース３５０の側部に接近する方向に広がる。よって、図中矢印ｖで示したように、切換部材３６１の上部がバネ３６２の弾性力に抗して互いに接近するため、係合手段１６０の係合が解除される。
【００７５】
これにより、図１４（ａ）、（ｂ）に示したように、下側ケース３５０が操作コード３１０に引っ張られて上側ケース３４０から分離する。このように、居住者が操作コード３１０に引っ掛かった場合には、駆動ケース１７０が分離するため、居住者がけがをしたり、ブラインドが破損したりするなどの事故を防止することができる。
【００７６】
（第３の実施形態の効果）
以上説明したように、本実施形態によれば、通常操作では下側プーリ３５１に引き下げる力が加わらず、切換部材３６１が作動しないため、係合部材の係合が解除されることはない。そして、非常時には、下側プーリ３５１に引き下げる力が加わり、切換部材３６１が作動することによって、係合部材の係合が解除される。このため、従来のようにフェイルセーフ機能における連結部材の嵌合力を、製品サイズに応じて厳密に設定する必要がなくなり、製品サイズによらず安全性を確保できる。
【００７７】
また、本実施形態によれば、中間ギアを介さず上側ギア３４７と下側ギア３５５を直接連結するようにしたことにより、部品点数が削減されて構造が簡単になる。このため、操作装置３００の製造コストを抑えることができる。
【００７８】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００７９】
例えば、上記実施形態では、ロールスクリーン型のブラインドを例に挙げて説明したが、本発明はこれに限定されない。本発明の開閉体の操作装置は、横型ブラインド、縦型ブラインド、プリーツスクリーン、オーニングなどブラインドのみならず、シャッター、映写スクリーン、開閉式ビニールハウスなど、操作装置の操作に基づいて開閉する開閉体に適用可能である。
【符号の説明】
【００８０】
１０  開閉体（ブラインド）
２０  フレーム
３０  巻取パイプ
４０  スクリーン
５０  駆動部
１００  操作装置
１１０  操作コード
１２０  駆動コード
１４０  上側ケース
１４１  上側プーリ
１４２  底部
１４３  底部開口部
１４４  上部開口部
１４５  突起
１４６  回転支持軸
１４７  上側ギア
１５０  下側ケース
１５１  下側プーリ
１５２  上部開口部
１５３  底部開口部
１５４  回転支持軸
１５５  下側ギア
１５６  中間ギア
１５７  回転支持軸
１６０、１６０−１、１６０−２  係合手段
１６１、１６１−１、１６１−２  切換部材
１６１ａ  側壁
１６２，１６２−１、１６２−２  バネ
１７０  駆動ケース
２００  操作装置
２１０  操作コード
２２０  駆動コード
２４０  上側ケース
２４７  上側ギア
２５０  下側ケース
２５１  下側プーリ
２５５  下側ギア
２６０、２６０−１、２６０−２  係合手段
２６１、２６１−１、２６１−２  切換部材
２６２−１、２６２−２  バネ
３００  操作装置
３１０  操作コード
３２０  駆動コード
３４０  上側ケース
３４７  上側ギア
３５０  下側ケース
３５１  下側プーリ
３５４  回転支持軸
３５５  下側ギア
３５８  切欠き部
３５８ａ  幅狭部
３５８ｂ  先端部
３６０、３６０−１、３６０−２  係合手段
３６１、３６１−１、３６１−２  切換部材
３６２、３６２−１、３６２−２  バネ
【図１】
0006383644.tif 000002
【図２】
0006383644.tif 000003
【図３】
0006383644.tif 000004
【図４】
0006383644.tif 000005
【図５】
0006383644.tif 000006
【図６】
0006383644.tif 000007
【図７】
0006383644.tif 000008
【図８】
0006383644.tif 000009
【図９】
0006383644.tif 000010
【図１０】
0006383644.tif 000011
【図１１】
0006383644.tif 000012
【図１２】
0006383644.tif 000013
【図１３】
0006383644.tif 000014
【図１４】
0006383644.tif 000015